(57)【要約】【課題】静止画の連写撮影や動画撮影時における被写体確認用画像表示の遅延時間を短くするとともに、画像処理に関連するデータのトラフィック量を削減する。【解決手段】逐次画像データを撮像するフレームレートよりも高速なフレームレートでイメージセンサを駆動し、フレーム毎に、記録用画像データと被写体確認用表示画像データとに応じて、イメージセンサからのデータの読出し方式を変更する。そして、記録用画像データと被写体確認用表示画像データとを生成し、記録用画像データを記録するとともに、被写体確認用表示画像データを表示する。【選択図】図４
2009065320.tif 000002
【特許請求の範囲】
【請求項１】
逐次画像データを撮像するイメージセンサと、
該逐次画像データを撮像するフレームレートよりも高速なフレームレートで前記イメージセンサを駆動する駆動手段と、
フレーム毎に、記録用画像データか被写体確認用表示画像データによって、前記イメージセンサからのデータの読出し方式を変更する読出制御手段と、
前記記録用画像データと被写体確認用表示画像データとを生成する生成手段と、
前記記録用画像データを記録する記録手段と、
前記被写体確認用表示画像データを表示する表示手段と、
を備えたことを特徴とする撮像装置。
【請求項２】
前記駆動手段が、前記逐次画像データを撮像するフレームレートの整数倍のフレームレートで前記イメージセンサを駆動することを特徴とする請求項１に記載の撮像装置。
【請求項３】
前記生成手段が、前記記録用画像データと被写体確認用表示画像データとを、それぞれ異なるフレームにおいて前記イメージセンサから読み出した画像データにより生成することを特徴とする請求項１に記載の撮像装置。
【請求項４】
前記読出制御手段が、前記イメージセンサからのデータの読出し方式を、前記記録用画像データの場合には、前記イメージセンサの全画素を読み出す方式とし、前記被写体確認用表示画像データの場合には、前記イメージセンサの複数画素を加算して読み出す方式とすることを特徴とする請求項１に記載の撮像装置。
【請求項５】
前記読出制御手段が、前記イメージセンサからの前記記録用画像データの読出しと前記被写体確認用表示画像データの読出しとをフレーム毎に交互に実行することを特徴とする請求項１に記載の撮像装置。
【発明の詳細な説明】
【技術分野】
【０００１】
本発明は、静止画の連写機能あるいは動画撮影機能を有する撮像装置に関する。
【背景技術】
【０００２】
近年、レンズで捉えた光学的な静止画像をＣＣＤ（Ｃｈａｒｇｅ  Ｃｏｕｐｌｅｄ  Ｄｅｖｉｃｅｓ）により電気信号に変換し、これを半導体メモリやフロッピディスク等の記録媒体に記録するデジタルカメラが広く実用化されている。この種のデジタルカメラの撮影モードには単写撮影モードと連写撮影モードがあり、撮影者はこれらのモードを自在に切り替えて設定することができる。
【０００３】
また、従来より、撮像装置の技術分野において、超高速連写機能に関する技術が検討されており、例えば、単写、連写、マルチ連写および高速連写等の従来の撮影方式に新たに超高速連写モードを備えるとともに、この超高速連写モード用のプログラム線図と感度線図とを用意することにより、超高速連写モードに設定された場合、そのプログラム線図と感度線図とにしたがって、被写体輝度からシャッター速度および撮像感度を設定する技術が知られている（例えば、特許文献１参照。）。
【特許文献１】特開２００１−９４８５４号公報
【発明の開示】
【発明が解決しようとする課題】
【０００４】
ここで、連写撮影のひとつとして、いわゆる「流し撮り」があるが、この「流し撮り」の場合には、ユーザが移動する被写体をカメラで追いかけることになるため、「流し撮り」での連写撮影中は、カメラを通して被写体を確認できることが重要である。一般に、光学ファインダーを装備したカメラでは、比較的容易に被写体の確認を行うことができるが、光学ファインダーを装備しないカメラでは、被写体確認用の画像をＬＣＤ（Ｌｉｑｕｉｄ  Ｃｒｙｓｔａｌ  Ｄｉｓｐｌａｙ）等に表示させる必要がある。
【０００５】
ところで、光学ファインダーを持たないカメラにおける一般的な連写撮影では、シャッター押下後に、一度、ＬＣＤ表示をブラックアウト（黒画面表示）して、１枚分の撮影処理を行い、その後、撮影した画像の確認用表示を行うという処理の繰り返しを行っている。つまり、移動する被写体を確認するための表示を行っていないため、光学ファインダーを持たないカメラでは、連写撮影中に被写体確認用画像表示を行うためには、撮像処理と並行して別途、被写体確認用画像表示処理を行わなければならない。
【０００６】
このような状況で、連写撮影中の被写体確認用画像表示を行う場合を考えると、まず、従来の連写撮影における「撮影した画像の確認用表示」を行わず、その上で、被写体確認用画像表示を行う必要がある。例えば、３０ｆｐｓでの撮像が可能なイメージセンサを使って、被写体確認用画像表示を行いながら、３０ｆｐｓの連写撮影を行う場合の流れを例示すると図５のようになる。
【０００７】
図５に示すように、イメージセンサは、１／３０秒毎に、イメージセンサの全画素を読み出す（以下、この読出方法をフレーム読み出しという。）。つまり、１／３０秒毎に、イメージセンサからベイヤデータがカメラ内部のメモリに格納される（図５（１））。そして、図示しないが、１／３０秒後には、メモリ上に格納されたベイヤデータから、記録用画像データとなるＪＰＥＧデータ（実際には、ベイヤデータ→ＹＣｂＣｒデータ→ＪＰＥＧデータの順に画像処理が行われる。）が生成され、メモリ上に格納される。ここで、記録用画像データとは、ＳＤ（Ｓｅｃｕｒｅ  Ｄｉｇｉｔａｌ  Ｍｅｍｏｒｙ  Ｃａｒｄ）カード等の記録メディアに記録するための画像データである。
【０００８】
また、１／３０秒毎に、メモリに格納されるベイヤデータから、ＬＣＤ表示用の画像データが生成される（図５の（２））。ここで、最近のＬＣＤが６０ｆｐｓ表示であることを考えると、イメージセンサが３０ｆｐｓで動作している場合には、ＬＣＤは同じ表示を２回行うことになる（図５の（３））。
【０００９】
つまり、あるベイヤデータがメモリ上に格納された後、１／６０秒後には、ＬＣＤ表示用の画像データとなるＹＣｂＣｒデータ（実際には、ベイヤデータ→ＹＣｂＣｒデータ→ＬＣＤの画素数に応じたリサイズ処理の順に画像処理が行われる。）が生成される。さらに、その１／６０秒後には、生成されたＬＣＤ表示用画像データが、メモリ上から読み出されてＬＣＤに表示され、その１／６０秒後にも全く同じデータがメモリ上から再び読み出されてＬＣＤに表示される。
【００１０】
以上の処理の流れは、図５に示すように、カメラのシステム全体をイメージセンサの駆動タイミング（本従来例では、１／３０秒周期）に同期させて、パイプライン処理される。これにより、３０ｆｐｓの連写撮影と３０ｆｐｓのＬＣＤ表示とを行うことができ、連写撮影中の被写体確認用画像表示が実現できる。
【００１１】
しかしながら、上記のような方法では、実際の被写体の動きがＬＣＤに表示されるまでに少なくとも３／６０秒間遅延することになり、いわゆる「流し撮り」を行う場合には、被写体を追いかけながら容易に撮影することができないという問題がある。一方で、遅延時間を短くするために、イメージセンサのフレームレートやＬＣＤの表示速度を速くしようとすると、必要なメモリの帯域が大きくなり、消費電力が大きくなるという問題もある。
【００１２】
そこで、本発明は、上述の課題に鑑みてなされたものであり、静止画の連写撮影や動画撮影時における被写体確認用画像表示の遅延時間を短くするとともに、画像処理に関連するデータのトラフィック量を削減する撮像装置を提供することを目的とする。
【課題を解決するための手段】
【００１３】
本発明は、上記の課題を解決するために、以下の事項を提案している。
（１）本発明は、逐次画像データを撮像するイメージセンサと、該逐次画像データを撮像するフレームレートよりも高速なフレームレートで前記イメージセンサを駆動する駆動手段と、フレーム毎に、記録用画像データか被写体確認用表示画像データかによって、前記イメージセンサからのデータの読出し方式を変更する読出制御手段と、前記記録用画像データと被写体確認用表示画像データとを生成する生成手段と、前記記録用画像データを記録する記録手段と、前記被写体確認用表示画像データを表示する表示手段と、を備えたことを特徴とする撮像装置を提案している。
【００１４】
（２）本発明は、（１）の撮像装置について、前記駆動手段が、前記逐次画像データを撮像するフレームレートの整数倍のフレームレートで前記イメージセンサを駆動することを特徴とする撮像装置を提案している。
【００１５】
（４）本発明は、（１）の撮像装置について、前記生成手段が、前記記録用画像データと被写体確認用表示画像データとを、それぞれ異なるフレームにおいて前記イメージセンサから読み出した画像データにより生成することを特徴とする撮像装置を提案している。
【００１６】
（５）本発明は、（１）の撮像装置について、前記読出制御手段が、前記イメージセンサからのデータの読出し方式を、前記記録用画像データの場合には、前記イメージセンサの全画素を読み出す方式とし、前記被写体確認用表示画像データの場合には、前記イメージセンサの複数画素を加算して読み出す方式とすることを特徴とする撮像装置を提案している。
【００１７】
（６）本発明は、（１）の撮像装置について、前記読出制御手段が、前記イメージセンサからの前記記録用画像データの読出しと前記被写体確認用表示画像データの読出しとをフレーム毎に交互に実行することを特徴とする撮像装置を提案している。
【発明の効果】
【００１８】
本発明によれば、イメージセンサのフレームレートを連写撮影のフレームレートよりも高速にすることにより、被写体確認用画像が表示されるまでの遅延時間を短縮することができるため、例えば、「流し撮り」等において、撮影者が被写体をカメラで追いやすくなり、使い勝手が向上するという効果がある。また、本発明によれば、イメージセンサの駆動を１フレーム毎に変更することにより、生成すべき画像データに適したベイヤデータを読み出すよう制御して、必要なメモリ帯域を削減できるという効果がある。
【発明を実施するための最良の形態】
【００１９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。なお、以下では、静止画の連写撮影機能を有する撮像装置を例に、説明を行う。
【００２０】
＜撮像装置の外観構成＞
本実施形態に係る撮像装置１００の外観構成は、図１に示すようになっており、図１（ａ）はその上面図、図１（ｂ）はその正面図、図１（ｃ）は、その背面図を示している。
【００２１】
撮像装置１００は、図１（ａ）に示すように、その上面側に連写ダイヤル１と、モードダイヤル２と、電源ボタン３と、シャッターボタン４とを備えている。連写ダイヤル１とモードダイヤル２とは各々回転式の設定機構を備えており、連写ダイヤル１は各種の連写モードを設定する場合に、モードダイヤル２は各種の撮影モードを設定する場合にそれぞれ用いられる。
【００２２】
また、撮像装置１００の正面には、図１（ｂ）に示すように、ＡＦ（Ａｕｔｏ  Ｆｏｃｕｓ）補助光あるいはセルフタイマー用のＬＥＤ６と、キセノンフラッシュ８と、ＬＥＤフラッシュ９と、レンズ１１とを備えている。
【００２３】
更に、撮像装置１００の背面には、図１（ｃ）に示すように、Ｐｌａｙボタン１４と、Ｒｅｃボタン１５と、動画ボタン１６と、ＳＥＴキー１７と、コントロールボタン１８と、ＭＥＮＵボタン１９と、ＤＩＳＰキー２０と、ＬＣＤ２１とを備えている。
【００２４】
ここで、Ｐｌａｙボタン１４は、再生モードを設定するためのボタンであり、Ｒｅｃボタン１５は、撮影モードを設定するためのボタンである。
【００２５】
動画ボタン１６は、動画モードを設定するための回転式ダイヤルであり、コントロールボタン１８は、上下左右各方向への項目選択用のキーが一体に形成されたものであり、このコントロールボタン１８の中央に位置するＳＥＴキー１７は、その時点で選択されている項目を設定する際に、操作するキーである。
【００２６】
ＭＥＮＵボタン１９は、各種システムの設定を行うためのキーであり、例えば、再生モードにおいては、デリートモードをはじめとした各種項目をＬＣＤ２１に表示し、撮影モードにおいては、画像の記録に必要な、例えば、記録画像の精細度やオートフォーカスのオンオフ等に加え、ムービー画像の撮影コマ数の選択項目をＬＣＤ２１に表示する。
【００２７】
ＤＩＳＰキー２０は、ＬＣＤ２１に表示された画像に様々な情報をオーバーラップ表示するためのキーであり、例えば、撮影モードでは、残り撮影可能枚数や撮影形態等の情報をオーバーラップ表示し、再生モードでは、再生画像の属性情報（ページ番号や精細度等）をオーバーラップ表示する。ＬＣＤ２１は、バックライト付きのカラー液晶パネルで構成され、撮影モード時にはスルー画像のモニタ表示を行う一方で、再生モード時には選択した画像等を再生表示する。
【００２８】
また、図示しない撮像装置１００の側面には、パーソナルコンピュータやモデム等の外部装置をＵＳＢ（Ｕｎｉｖｅｒｓａｌ  Ｓｅｒｉａｌ  Ｂｕｓ）ケーブルで接続する場合に用いられるＵＳＢ端子の接続部や、メモリカード等を挿入するスロット等が設けられている。
【００２９】
＜撮像装置の電気的構成＞
本実施形態に係る撮像装置１００は、図２に示すように、キー入力部１〜４、１４〜２０と、ストロボ発光部８、９と、ＬＣＤ２１と、レンズ３０と、レンズ駆動ブロック３１と、絞り兼用シャッター３２と、ＣＣＤ４０と、読出し制御部４１と、外部通信Ｉ／Ｆ（Ｉｎｔｅｒｆａｃｅ）４３と、ストロボ駆動部４４と、記録メディア４５と、記録メディアＩ／Ｆ（Ｉｎｔｅｒｆａｃｅ）４６と、メモリ４７と、ＤＲＡＭ（Ｄｙｎａｍｉｃ  Ｒａｎｄｏｍ  Ａｃｃｅｓｓ  Ｍｅｍｏｒｙ）５０と、ＣＰＵ（Ｃｅｎｔｒａｌ  Ｐｒｏｃｅｓｓｉｎｇ  Ｕｎｉｔ）６０と、画像処理部７０と、を備えており、記録メディアＩ／Ｆ４６には、図示しない撮像装置１００本体のカードスロットにメモリカード等の記録メディア４５が着脱可能に接続される。
【００３０】
キー入力部１〜４、１４〜２０は、モードダイヤル２、連写ダイヤル１、電源ボタン３、シャッターボタン４、Ｐｌａｙボタン１４、Ｒｅｃボタン１５、動画ボタン１６、ＳＥＴキー１７、コントロールボタン１８、ＭＥＮＵボタン１９、ＤＩＳＰキー２０等の複数の操作キーを含み、ユーザのキー操作に応じた操作信号をＣＰＵ６０に出力する。
【００３１】
レンズ３０は、フォーカスレンズ、ズームレンズを含み、レンズ駆動ブロック３１が接続されている。このレンズ駆動ブロック３１は、図示しないフォーカスレンズ、ズームレンズをそれぞれ撮像面と平行な光軸方向に駆動させるフォーカスモータおよびズームモータと、ＣＰＵ６０からの制御信号にしたがってフォーカスモータおよびズームモータをそれぞれ駆動させるフォーカスドライバおよびズームモータドライバから構成されている。
【００３２】
絞り兼用シャッター３２は、図示しない駆動回路を含み、この駆動回路はＣＰＵ６０から送られてくる制御信号にしたがって絞り兼用シャッターを動作させる。なお、この絞り兼用シャッター３２は、絞りとシャッターとして機能する。
【００３３】
ここで、絞りとは、撮像レンズ３０から入ってくる光の量を制御する機構をいい、シャッターとは、ＣＣＤ４０に光を当てる時間を制御する機構をいう。また、ＣＣＤ４０に光を当てる時間（露出時間）は、シャッターの開閉速度（シャッター速度）によって変化するため、露出量は、この絞りとシャッター速度とによって定めることができる。
【００３４】
ＣＣＤ４０は、撮像レンズ３０および絞り兼用シャッター３２を介して投影された被写体の光を電気信号に変換し、撮像信号として読出し制御部４１に出力する。また、ＣＣＤ４０は、読出し制御部４１内の図示しないタイミングジェネレータによって生成された所定周波数のタイミング信号にしたがって駆動する。
【００３５】
読出し制御部４１は、ＣＣＤ４０から出力される撮像信号を相関二重サンプリングして保持するＣＤＳ（Ｃｏｒｒｅｌａｔｅｄ  Ｄｏｕｂｌｅ  Ｓａｍｐｌｉｎｇ）回路、そのサンプリング後の撮像信号の自動利得調整を行うＡＧＣ（Ａｕｔｏｍａｔｉｃ  Ｇａｉｎ  Ｃｏｎｔｒｏｌ）回路、その自動利得調整後のアナログの撮像信号をデジタル信号に変換するＡ／Ｄ変換器等から構成されており、ＣＣＤ４０の撮像信号は、読出し制御部４１を経てデジタル信号としてＣＰＵ６０に送られる。
【００３６】
ＣＰＵ６０は、読出し制御部４１から送られてきた画像データの画像処理（画素補間処理、γ補正、輝度色差信号の生成、ホワイトバランス処理、露出補正処理等）、ブレ補正処理等を行う機能を有するとともに、撮像装置１００の各部を制御プログラムにしたがって制御するワンチップマイコンであって、時刻を計時するクロック回路を含む。
【００３７】
また、本実施形態においては、読出し制御部４１内の図示しないタイミングジェネレータを介して、ＣＣＤ４０のフレームレートが連写撮影のフレームレートよりも高速になるよう駆動する。これより、被写体確認用画像が表示されるまでの遅延時間を短縮して、例えば、「流し撮り」等において、撮影者が被写体をカメラで追いやすくなるため、使い勝手が向上する。また、ＣＣＤ４０のフレームレートと連写撮影のフレームレートとの比は整数倍であることが望ましい。こうすることにより、ＣＣＤ４０からの画像データの読出しと、連写撮影用の画像処理との同期をとることができる。なお、詳細については、後述する。
【００３８】
ＤＲＡＭ５０は、ＣＣＤ４０によって撮像された後、ＬＣＤ表示用画像ベイヤデータおよび記録画像用ベイヤデータを格納するとともに、ＬＣＤ表示用画像領域、記録画像用ＹＣｂＣｒデータ領域、ＪＰＥＧデータ格納用ＦＩＦＯ領域等を有し、また、ＣＰＵ６０のワーキングメモリとしても使用される。
【００３９】
外部通信Ｉ／Ｆ４３は、外部の電子機器（例えば、パーソナルコンピュータ）との間でデータの入出力を行うものであり、ＵＳＢ規格、ＩＥＥＥ１３９４規格等の各種インターフェース規格による入出力を可能としており、これらの規格によるデータ入出力が可能なパソコン等の電子機器と接続可能となっている。また、ＩｒＤＡ規格による赤外線通信、Ｂｌｕｅｔｏｏｔｈ規格による無線通信により外部の電子機器と画像データの入出力を可能としているものでも良い。
【００４０】
ストロボ駆動部４４は、ＣＰＵ６０の制御信号にしたがって、ストロボ発光部８、９を閃光駆動させ、ストロボ発光部８、９は、これによりストロボを閃光させる。ＣＰＵ６０は、図示しない測光回路により、撮影シーンが暗いか否かを判断し、撮影シーンが暗いと判断し、かつ、撮影を行う場合（シャッターボタン４の押下時）には、ストロボ駆動部４４に制御信号を出力する。
【００４１】
メモリ４７は、ＣＰＵ６０による撮像装置１００の各部の制御に必要なプログラムおよび各部の制御に必要なデータを記録格納しており、ＣＰＵ６０は、このプログラムにしたがって処理を実行する。
【００４２】
画像処理部７０は、ＤＲＡＭ５０内に格納されたＬＣＤ表示用画像ベイヤデータからＬＣＤ表示用画像を生成するとともに、記録画像用ベイヤデータから記録画像用ＹＣｂＣｒデータを生成する。また、生成した記録画像用ＹＣｂＣｒデータに対して、画像データの圧縮・伸張（例えば、ＪＰＥＧ形式の圧縮・伸張）の処理を行い、必要に応じて、記録メディアにＪＰＥＧデータを送受信する。
【００４３】
＜主要ブロックの構成＞
図３は、本実施形態における主要ブロックの構成を示したものである。
図３に示すように、本実施形態における主要ブロックは、ＬＣＤ２１と、ＣＣＤ４０と、読出し制御部４１と、画像処理部７０と、ＤＲＡＭ５０と、記録メディアＩ／Ｆ部４６とから構成されている。また、画像処理部７０は、ＬＣＤ表示用画像生成部７１と、記録画像用ＹＣｂＣｒデータ生成部７２と、ＪＰＥＧ部７３とから構成されている。また、ＤＲＡＭ５０には、ベイヤデータ領域５２（ベイヤデータ領域１およびベイヤデータ領域２で構成）、ＬＣＤ表示用画像領域５４（ＬＣＤ表示用画像領域１およびＬＣＤ表示用画像領域２で構成）、記録画像用ＹＣｂＣｒデータ領域５６、ＪＰＥＧ格納用ＦＩＦＯ領域５８が設けられている。なお、本ブロックは、記録メディアＩ／Ｆ４６以外のブロックが１／６０秒を一単位として同期動作している。
【００４４】
本実施形態は、１／６０秒毎に、ＣＣＤ４０の駆動を変更することにより、ＣＣＤ４０からのデータ読出し方法を変更するものである。つまり、本実施形態では、ＣＣＤ４０から読み出すベイヤデータを使って生成する画像データが１／６０秒毎に異なる点に着目し、生成される画像データに適するように、ＣＣＤ４０の駆動を制御してベイヤデータを読み出すものである。
【００４５】
読出し制御部４１は、記録用画像データか被写体確認用表示画像データかによって、フレーム毎（例えば、１／６０秒毎）に、ＣＣＤ４０からのデータの読出し方式を変更する。具体的には、記録用画像データの場合には、ＣＣＤ４０の全画素を読み出す方式（フレーム読出し方式）とし、被写体確認用表示画像データの場合には、ＣＣＤ４０の複数画素を加算して読み出す方式（モニタースルー読出し方式）とする。こうすることにより、生成すべき画像データに適したベイヤデータを読み出すよう制御して、必要なメモリ帯域を削減できる。
【００４６】
ＤＲＡＭ５０内のベイヤデータ領域１には、モニタースルー読出し方式で読み出されたＬＣＤ表示画像用ベイヤデータが格納され、ＤＲＡＭ５０内のベイヤデータ領域２には、フレーム読出し方式で読み出された記録画像用ベイヤデータが格納される。
【００４７】
ＬＣＤ表示用画像生成部７１は、ＤＲＡＭ５０内のベイヤデータ領域１に対して、ベイヤデータが格納された次の１／６０秒間に、格納されたベイヤデータを読み出して、６４０×４８０ドット、Ｙ：Ｃｂ：Ｃｒ＝４：２：０のＬＣＤ表示用画像を生成し、ＤＲＡＭ５０内のＬＣＤ表示用画像領域５４に格納する。
【００４８】
なお、図３に示すように、ＬＣＤ表示用画像領域５４は、ＬＣＤ表示用画像領域１およびＬＣＤ表示用画像領域２から構成されている。これは、ＬＣＤ表示用画像生成部７１が、ＬＣＤ表示用画像を生成する度に、これらの領域に交互にＬＣＤ表示用画像を格納するためである。
【００４９】
ＬＣＤ２１は、ＬＣＤ表示用画像領域１にＬＣＤ表示用画像が格納されると、次の１／６０秒間と、さらに、次の１／６０秒間に、ＬＣＤ表示用画像領域１からＬＣＤ表示用画像を読み出して表示を行う。同様に、ＬＣＤ表示用画像領域２にＬＣＤ表示用画像が格納されると、次の１／６０秒間と、さらに、次の１／６０秒間に、ＬＣＤ表示用画像領域２からＬＣＤ表示用画像を読み出して表示を行う。
【００５０】
記録画像用ＹＣｂＣｒデータ生成部７２は、ＤＲＡＭ５０内のベイヤデータ領域２に対して、ベイヤデータが格納された次の１／６０秒間で、ベイヤデータ領域２の記録画像用ベイヤデータを読み出して、３０７２×２３０４ドット、Ｙ：Ｃｂ：Ｃｒ＝４：２：２の記録画像用ＹＣｂＣｒデータを生成し、ＤＲＡＭ５０内の記録画像用ＹＣｂＣｒデータ領域５６に格納する。
【００５１】
ＪＰＥＧ部７３は、記録画像用ＹＣｂＣｒデータ領域５６に記録画像用ＹＣｂＣｒデータが格納されると、次の１／６０秒間で、記録画像用ＹＣｂＣｒデータ領域５６から、記録画像用ＹＣｂＣｒデータを読み出して、ＪＰＥＧへのエンコード処理を行い、ＪＰＥＧ格納用ＦＩＦＯ領域５８に格納する。
【００５２】
記録メディアＩ／Ｆ４６は、ＪＰＥＧ格納用ＦＩＦＯ領域５８に格納されているデータがなくなるまで、ＪＰＥＧ格納用ＦＩＦＯ領域５８からＪＰＥＧデータを読出し、ＳＤメモリカード等の記録メディアにＪＰＥＧデータを格納する。
【００５３】
＜主要ブロックの処理＞
次に、図４を用いて、本実施形態の処理について説明する。
まず、ＣＰＵ６０は、読出し制御部４１内の図示しないタイミングジェネレータを介して、ＣＣＤ４０のフレームレートを連写撮影のフレームレートの、例えば、通常の２倍（１／６０秒）の値に設定し、ＣＣＤ４０を駆動する。
【００５４】
そして、最初の１／６０秒間に、ＣＣＤ４０によって撮像されたデータが、読出し制御部４１により、ＬＣＤ表示画像用ベイヤデータとして、モニタースルー方式で読み出され、ＤＲＡＭ５０内のベイヤデータ領域１に格納される（図４の（１））。なお、本実施形態では、有効画素数７．２ＭピクセルのＣＣＤ４０を用いる場合を想定するものとし、モニタースルー方式では、ＣＣＤ４０の９画素を加算するとして、そのデータ量を０．８Ｍバイトとする。
【００５５】
次の１／６０秒間では、先に格納した０．８Ｍバイト分のベイヤデータから、ＬＣＤ表示用画像を生成して、ＤＲＡＭ５０内のＬＣＤ表示用画像領域１に格納する（図４の（２））。なお、本実施形態では、ＬＣＤ表示用画像サイズ６４０×４８０ドット、画像格納形式Ｙ：Ｃｂ：Ｃｒ＝４：２：０、１バイト／データの場合を想定しているため、ＬＣＤ表示用画像としては、６４０×４８０×１．５＝４６０８００バイトをＬＣＤ表示用画像領域１に格納することになる。
【００５６】
また、このとき、同時に、読出し制御部４１により、記録画像用ベイヤデータが、フレーム読出し方式で読み出され、ＤＲＡＭ５０内のベイヤデータ領域２に格納される（図４の（３））。このとき格納されるベイヤデータは、ＬＣＤ表示用画像には用いられないデータであり、そのデータサイズは、７．２Ｍバイト分のベイヤデータである。つまり、ＬＣＤの駆動は、６０ｆｐｓで行われるが、実際に、ＬＣＤに表示される画像自体は、３０ｆｐｓのフレームレートで表示が行われる。そこで、本実施形態では、１／６０秒毎に格納されるベイヤデータを、１回おきに、つまり、２／６０秒毎にＬＣＤ表示用画像の生成に用いて、もう一方を記録画像用データとして使用している。
【００５７】
続いて、次の１／６０秒間では、ＤＲＡＭ５０内のＬＣＤ表示用画像領域１に格納されたＬＣＤ表示用画像をＬＣＤ２１が読み出して、被写体確認用表示画像の表示を行う（図４の（４））。
【００５８】
また、同時に、図４の（３）でＤＲＡＭ５０内のベイヤデータ領域２に格納されたベイヤデータから、７．２Ｍバイト分の記録画像用ＹＣｂＣｒデータを作成して、ＤＲＡＭ５０内の記録画像用ＹＣｂＣｒデータ領域に格納する（図４の（５））。本実施形態では、画面サイズを３０７２×２３０４ドット、画像格納形式をＹ：Ｃｂ：Ｃｒ＝４：２：２、１バイト／データとしているため、３０７２×２３０４×２＝１４１５５７７６（＝１３．５Ｍ）バイトのデータをメモリに格納する。さらに、ＣＣＤ４０によって撮像されたデータが読み出し制御部４１により、ＬＣＤ表示画像用ベイヤデータとして、モニタースルー方式で読み出され、ＤＲＡＭ５０内のベイヤデータ領域１に格納される。
【００５９】
続いて、次の１／６０秒間では、ＤＲＡＭ５０内のＬＣＤ表示用画像領域１に格納されたＬＣＤ表示用画像をＬＣＤ２１が読み出して、もう一度、前回と同様の被写体確認用表示画像の表示を行う（図４の（４´））。また、同時に、ＤＲＡＭ５０内のベイヤデータ領域１に格納されたデータからＬＣＤ表示画像を生成してＬＣＤ表示画像領域２に格納する。
【００６０】
また、同時に、図４の（５）でＤＲＡＭ５０内の記録画像用ＹＣｂＣｒデータ領域５６に格納されたデータをＪＰＥＧ部７３が読み出して、データの圧縮処理等を実行し、ＤＲＡＭ５０内のＪＰＥＧ格納用ＦＩＦＯ領域５８に格納する（図４の（６））。そして、以上の処理を繰り返し実行する。なお、繰り返し（４／６０秒間）の前半の２／６０秒間において、ＬＣＤ用の表示画像データは、ＬＣＤ表示画像領域２に格納されている表示画像データが用いられる。
【００６１】
したがって、本実施形態によれば、連写撮影のフレームレートとＬＣＤ表示のフレームレートを従来のフレームレートとしつつ、ＣＣＤのフレームレートを従来の２倍となるように、駆動することによって、被写体確認用表示画像の表示遅延時間を従来よりも１／６０秒短縮することができる。
【００６２】
また、ＣＣＤからのデータの読出しを交互に、モニタースルー読出しとフレーム読出しにすることにより、モニタースルー読出しでは、０．８Ｍバイトのデータを、フレーム読出しでは、７．２Ｍバイトのデータをメモリに書き込むことになる。図４に示すように、（Ａ）では、０．８Ｍバイトのベイヤデータの書き込み（図中、「Ｗ」と表示）、０．４５ＭバイトのＬＣＤ表示用画像データの読出し（図中、「Ｒ」と表示）、記録画像用ＹＣｂＣｒデータ生成のための７．２Ｍバイトのベイヤデータの読出し（図中、「Ｒ」と表示）、そして、１３．５Ｍバイトの記録画像用ＹＣｂＣｒデータの書き込み（図中、「Ｗ」と表示）を実行する。そのため、データ転送の総量は、２１．９５Ｍバイトとなる。これは、モニタースルー読出しを用いない従来の場合に比べて、約２３％のメモリ帯域の削減となる。
【００６３】
同様に、図４に示すように、（Ｂ）では、７．２Ｍバイトのベイヤデータの書き込み（図中、「Ｗ」と表示）、ＬＣＤ表示用画像データ生成のための０．８Ｍバイトのベイヤデータの読み込み（図中、「Ｒ」と表示）、０．４５ＭバイトのＬＣＤ表示用画像データの書き込み（図中、「Ｗ」と表示）、０．４５ＭバイトのＬＣＤ表示用画像データの読み込み（図中、「Ｒ」と表示）、ＪＰＥＧデータ作成のための１３．５ＭバイトのＹＣｂＣｒデータの読出し（図中、「Ｒ」と表示）、そして、２ＭバイトのＪＰＥＧデータの書き込み（図中、「Ｗ」と表示）を実行する。そのため、データ転送の総量は、２４．４Ｍバイトとなる。これは、モニタースルー読出しを用いない従来の場合に比べて、約２１％のメモリ帯域の削減となる。
【００６４】
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。例えば、本実施形態においては、静止画の連写撮影を例にとって、説明したが、動画像撮影の場合もの同様に用いることができる。また、本実施形態においては、イメージセンサとしてＣＣＤを例示したが、これに限らず、Ｃ−ＭＯＳ等のイメージセンサを用いてもよい。
【図面の簡単な説明】
【００６５】
【図１】本実施形態に係る撮像装置の外観図である。
【図２】本実施形態に係る撮像装置の機能ブロック図である。
【図３】本実施形態に係る主要部の機能ブロック図である。
【図４】本実施形態に係るタイミングチャートである。
【図５】従来例に係るタイミングチャートである。
【符号の説明】
【００６６】
１・・・連写ダイヤル、２・・・モードダイヤル、４・・・シャッターボタン、１５・・・Ｒｅｃボタン、１７・・・ＳＥＴキー、１８・・・コントロールボタン、１９・・・ＭＥＮＵボタン、２１・・・ＬＣＤ、１〜４、１４〜２０・・・キー入力部、３０・・・レンズ、３１・・・レンズ駆動ブロック、３２・・・絞り兼用シャッター、４０・・・ＣＣＤ、４１・・・読出し制御部、４３・・・外部通信Ｉ／Ｆ（Ｉｎｔｅｒｆａｃｅ）、４４・・・ストロボ駆動部、４５・・・記録メディア、４６・・・記録メディアＩ／Ｆ（Ｉｎｔｅｒｆａｃｅ）、４７・・・メモリ、５０・・・ＤＲＡＭ（Ｄｙｎａｍｉｃ  Ｒａｎｄｏｍ  Ａｃｃｅｓｓ  Ｍｅｍｏｒｙ）、５２・・・ベイヤデータ領域、５４・・・ＬＣＤ表示用画像領域、５６・・・記録画像用ＹＣｂＣｒデータ領域、５８・・・ＪＰＥＧ格納用ＦＩＦＯ領域、５９・・・記録メディアＩ／Ｆ部、６０・・・ＣＰＵ（Ｃｅｎｔｒａｌ  Ｐｒｏｃｅｓｓｉｎｇ  Ｕｎｉｔ）、７０・・・画像処理部、７１・・・ＬＣＤ表示用画像生成部、７２・・・記録画像用ＹＣｂＣｒデータ生成部、７３・・・ＪＰＥＧ部、１００・・・撮像装置
【図１】
2009065320.tif 000003
【図２】
2009065320.tif 000004
【図３】
2009065320.tif 000005
【図４】
2009065320.tif 000006
【図５】
2009065320.tif 000007